(57)【要約】  本技術の開示での課題は、衝撃を検出する感度を下げることなく、情報処理装置の性能低下を防止することである。課題を解決するために、本実施形態の一例によれば、処理装置は、自装置に加えられる加速度を検出する加速度センサと、自装置に外部機器が機械的に接続されたことを検出する接続検出部と、前記加速度センサより検出された加速度に応じて自装置内の機械的動作を伴う機器に衝撃対策を行うとともに、前記接続検出手段により前記外部機器が接続されたことを検出した場合に前記衝撃対策を中止する制御部とを有する。
2012127520.tif 000002
【特許請求の範囲】
【請求項１】
自装置に加えられる加速度を検出する加速度センサと、
自装置に外部機器が機械的に接続されたことを検出する接続検出部と、
前記加速度センサより検出された加速度に応じて自装置内の機械的動作を伴う機器に衝撃対策を行うとともに、前記接続検出手段により前記外部機器が接続されたことを検出した場合に前記衝撃対策を中止する制御部と、
を有することを特徴とする処理装置。
【請求項２】
前記機械的動作を伴う機器は、媒体と前記媒体にアクセスするヘッドを有する記憶装置であり、
前記制御装置は、前記加速度センサが所定値以上の加速度を検出した場合に前記ヘッドを退避するように制御するとともに、退避制御中に前記接続検出手段が接続を検出した場合には、前記ヘッドを復帰させるように制御することを特徴とする請求項１記載の処理装置。
【請求項３】
前記機械的動作を伴う機器は、媒体と前記媒体にアクセスするヘッドを有する記憶装置であり、
前記制御装置は、前記加速度センサが所定値以上の加速度を検出した場合に前記ヘッドを退避するように制御するとともに、退避制御中に前記接続検出手段が自装置から前記外部機器の接続解除を検出した場合には、前記ヘッドを復帰させるように制御することを特徴とする請求項１記載の処理装置。
【請求項４】
制御部と、自装置に加えられる加速度を検出する加速度センサとを有する処理装置の制御方法において、
前記制御部は、
前記処理装置に外部機器が機械的に接続されたことを検出し、
前記加速度センサより検出された加速度に応じて前記処理装置内の機械的動作を伴う機器に衝撃対策を行うとともに、前記外部機器が接続されたことを検出した場合に前記衝撃対策を中止する、
ことを特徴とする処理装置の制御方法。
【請求項５】
自装置に加えられる加速度を検出する加速度センサを有する処理装置を制御する制御プログラムであって、
前記処理装置に、
前記処理装置に外部機器が機械的に接続されたことを検出し、
前記加速度センサより検出された加速度に応じて前記処理装置内の機械的動作を伴う機器に衝撃対策を行うとともに、前記外部機器が接続されたことを検出した場合に前記衝撃対策を中止する、
処理を実行させるための制御プログラム。
【発明の詳細な説明】
【技術分野】
【０００１】
本発明は、処理装置、処理装置の制御方法及び制御プログラムに関する。
【背景技術】
【０００２】
情報処理装置等の落下時に、例えば自動的にＨＤＤ（Ｈａｒｄ  Ｄｉｓｋ  Ｄｒｉｖｅ）のヘッドを退避して衝撃対策処理を実行する機能がある。落下の検出は加速度センサ等で行い、装置の加速度が所定値以上の場合、装置が落下していると判定する。【０００３】
加速度センサを用いて落下を検出する方法では、情報処理装置に触れる等により振動を与えただけで、加速度が所定値以上となってしまった場合、落下を誤検出してしまう。【０００４】
例えば、録画機器の動作モードに応じて、落下判定条件を制御する技術がある（特許文献１）。【０００５】
また、例えば、加速度センサの出力信号から機器の落下状態を検出する技術がある（特許文献２）。
【先行技術文献】
【特許文献】
【０００６】
【特許文献１】特開２００５−４４４３５号公報
【特許文献２】特開２００７−９５１８２号公報
【発明の概要】
【発明が解決しようとする課題】
【０００７】
衝撃を検出する感度が敏感だと外部機器接続時に衝撃対策処理を実行してしまい、画面に警告が表示される等、ＨＤＤの復帰に時間がかかりユーザに煩わしさを与えてしまう。一方、衝撃を検出する感度を下げて誤検出による衝撃対策処理が実行されないようにすると、装置の落下等の本来検出しなければならない衝撃の検出が遅れてしまう。【０００８】
本発明の課題は、衝撃を検出する感度を下げることなく、情報処理装置の性能低下を防止することである。
【課題を解決するための手段】
【０００９】
上記課題を解決するために、本実施形態の一例によれば、処理装置は、自装置に加えられる加速度を検出する加速度センサと、自装置に外部機器が機械的に接続されたことを検出する接続検出部と、前記加速度センサより検出された加速度に応じて自装置内の機械的動作を伴う機器に衝撃対策を行うとともに、前記接続検出手段により前記外部機器が接続されたことを検出した場合に前記衝撃対策を中止する制御部とを有する。
【発明の効果】
【００１０】
本実施形態の一側面によれば、加速度センサにより検出された加速度が当該装置に対する外部機器の接続に起因するものと判断された場合、加速度検出に応じて行う当該装置の衝撃対策処理を中止することで、当該装置の性能低下を防止することができる。
【図面の簡単な説明】
【００１１】
【図１】情報処理装置のハードウェア構成の一例を示すブロック図（その１）である。
【図２】情報処理装置の外観を示す図である。
【図３】ＣＰＵと周辺機器の構成の一例を示すブロック図（その１）である。
【図４】外部機器の接続の検出方法を示す図である。
【図５】加速度センサの出力を示す図（その１）である。
【図６】警告メッセージを示す図である。
【図７】本実施形態における処理を示すフローチャート（その１）である。
【図８】ＣＰＵと周辺機器の構成の一例を示すブロック図（その２）である。
【図９】加速度センサの出力を示す図（その２）である。
【図１０】本実施形態における処理を示すフローチャート（その２）である。
【発明を実施するための形態】
【００１２】
以下、本実施形態における情報処理装置について説明する。
【００１３】
＜実施の形態１＞
図１は、本実施形態における情報処理装置２００のハードウェア構成の一例を簡略的に示すブロック図である。情報処理装置２００は、ＣＰＵ（Ｃｅｎｔｒａｌ  Ｐｒｏｃｅｓｓｉｎｇ  Ｕｎｉｔ）１０１によって全体が制御されている。
【００１４】
ＣＰＵ１０１及びＲＡＭ（Ｒａｎｄｏｍ  Ａｃｃｅｓｓ  Ｍｅｍｏｒｙ）１０２には、システムコントローラ１０３が接続されている。システムコントローラ１０３は、ＣＰＵ１０１とＲＡＭ１０２との間のデータ転送や、ＣＰＵ１０１とバス１０４との間のデータ転送を制御する。さらに、システムコントローラ１０３には、バス１０４を介して、グラフィックスコントローラ１０５、ＲＯＭ（Ｒｅａｄ  Ｏｎｌｙ  Ｍｅｍｏｒｙ）１０６、オーディオコントローラ１０８、ＭＰＵ（Ｍｉｃｒｏ  Ｐｒｏｃｅｓｓｉｎｇ  Ｕｎｉｔ）１１１、キーボードコントローラ５０及びＨＤＤ（Ｈａｒｄ  Ｄｉｓｋ  Ｄｒｉｖｅ）１１２が接続されている。
【００１５】
ＲＡＭ１０２には、ＣＰＵ１０１に実行させるＯＳ（Ｏｐｅｒａｔｉｎｇ  Ｓｙｓｔｅｍ）のプログラムやアプリケーションプログラムの少なくとも一部が一時的に格納される。また、ＲＡＭ１０２には、ＣＰＵ１０１による処理に必要な各種データが格納される。
【００１６】
グラフィックスコントローラ１０５には、ＬＣＤ（Ｌｉｑｕｉｄ  Ｃｒｙｓｔａｌ  Ｍｏｎｉｔｏｒ）等のモニタ１１４が接続されており、ＣＰＵ１０１からの命令に従って画像をモニタ１１４の画面に表示させる。
【００１７】
ＲＯＭ１０６には、例えば、ＢＩＯＳ（Ｂａｓｉｃ  Ｉｎｐｕｔ／Ｏｕｔｐｕｔ  Ｓｙｓｔｅｍ）プログラムが格納される。
【００１８】
オーディオコントローラ１０８には、スピーカ１１５が接続されており、ＣＰＵ１０１
からの命令に従って音声をスピーカ１１５から発生させる。
【００１９】
ＭＰＵ１１１は、加速度センサ１０９と接続されている。ＭＰＵ１１１は、加速度センサ１０９から取得した値をＣＰＵ１０１に送信する。加速度センサ１０９は、例えば、２軸（Ｘ／Ｙ軸）または３軸（Ｘ／Ｙ／Ｚ軸）上のそれぞれに加えられる加速度の変動を検知し、アナログ出力を行うものである。
【００２０】
キーボードコントローラ５０には、キーボード２０及びマウス３０が接続されており、キーボード２０またはマウス３０から送られてくる信号を、バス１０４を介してＣＰＵ１０１に送信する。
【００２１】
ＨＤＤ１１２は、媒体であるハードディスク、ハードディスクからのリードやそれら媒体へのライトのためにアクセスするヘッドを備えている。ハードディスクには、ＯＳやアプリケーションのプログラム、各種データが格納される。
【００２２】
このようなハードウェアによって、情報処理装置２００の処理機能を実現することができる。
【００２３】
図２は、本実施形態における情報処理装置２００の外観を示す図である。情報処理装置２００は、ＤＣ（Ｄｉｒｅｃｔ  Ｃｕｒｒｅｎｔ）−ＩＮコネクタ２０２、ＣＲＴ（Ｃａｔｈｏｄｅ  Ｒａｙ  Ｔｕｂｅ）コネクタ２０４及びＵＳＢ（Ｕｎｉｖｅｒｓａｌ  Ｓｅｒｉａｌ  Ｂｕｓ）コネクタ２０６を有する。ＤＣ−ＩＮコネクタ２０２、ＣＲＴコネクタ２０４及びＵＳＢコネクタ２０６は、外部機器が機械的に着脱可能なコネクタである。
【００２４】
図３は、本実施形態におけるＣＰＵ１０１と周辺機器の構成の一例を簡略的に示すブロック図である。
【００２５】
ＣＰＵ１０１は、加速度読込部１０１２、判定部１０１４、コネクタ接続検出部１０１６、ＨＤＤＩ／Ｏ部１０１８として機能する。
【００２６】
加速度読込部１０１２は、加速度センサ１０９から加速度値を取得し、判定部１０１４にデータを転送する。
【００２７】
判定部１０１４は、読込んだ加速度値が所定値以上か判定を行い、その判定結果からＨＤＤＩ／Ｏ部１０１８にヘッド退避を指示する。また、判定部１０１４は、ＨＤＤＩ／Ｏ部１０１８にヘッド復帰を指示する。
【００２８】
コネクタ接続検出部１０１６は、外部コネクタ１１３の接続を検出する。コネクタ接続検出部１０１６は、接続を検出する信号の立ち上がり／立下りで、外部コネクタ１１３の接続を検出する。
【００２９】
ＨＤＤＩ／Ｏ部１０１８は、ＨＤＤ１１２のＩ／Ｏを制御する。ＨＤＤＩ／Ｏ部１０１８は、判定部１０１４からヘッド退避の指示を受信した場合、ＨＤＤ１１２にヘッド退避のコマンドを発行し、ヘッド退避を実行する。また、ＨＤＤＩ／Ｏ部１０１８は、判定部１０１４からヘッド復帰の指示を受信した場合、ＨＤＤ１１２にヘッド復帰のコマンドを発行し、ヘッド復帰を実行する。
【００３０】
図４は、本実施形態における外部機器接続の検出方法を示す図である。外部コネクタ１１３が情報処理装置側コネクタ１１６に接続されると、例えば、検出信号が「Ｈｉｇｈ」から「Ｌｏｗ」に変わる。検出信号は、「Ｈｉｇｈ」の時、外部機器が情報処理装置２００に接続されていないことを示し、「Ｌｏｗ」の時、外部機器が情報処理装置２００に接続されていることを示す。検出信号は、コネクタ接続検出部１０１６に入力する。コネクタ接続検出部１０１６は、当該検出信号が「Ｈｉｇｈ」または「Ｌｏｗ」であるかを判定することにより、外部機器が情報処理装置２００に接続されているか否かを判定する。
【００３１】
図５は、本実施形態における情報処理装置２００に備えられた加速度センサ１０９の出力の変化と、コネクタ接続検出部１０１６が検出する電圧と、ＣＰＵ１０１が警告表示を行うタイミングとの関係を示す図である。
【００３２】
まず、情報処理装置２００が、例えば、人手に持たれて自然な運動状態にある時、図５の区間Ａに示すように、加速度センサ１０９の出力は比較的緩やかに変化する。次に、情報処理装置２００が、落下により無重力状態になると、図５の区間Ｂに示すように、加速度は急激に変化し、加速度センサ１０９の出力レベルは急激に変化する。そして、図５の区間Ｃに示すように、自由落下での加速度はほぼ一定となる。区間Ｂ及びＣで、加速度値が所定値を超えると、判定部１０１４は、情報処理装置２００の衝撃対策処理を行うため、ＨＤＤＩ／Ｏ部１０１８に退避命令を出力し、ＨＤＤＩ／Ｏ部１０１８にＨＤＤ１１２のヘッド退避処理を行わせる。また、判定部１０１４は、グラッフィクスコントローラ１０５を介してモニタ１１４にＨＤＤのヘッド退避を行ったことを示すメッセージを表示する。図６に、モニタ１１４に表示される警告メッセージを示す。
【００３３】
その後、情報処理装置２００が、例えば、床に落下する前に、人手によって落下の阻止をされると、図５の区間Ｄに示すように、加速度センサ１０９の出力レベルは急激に上昇した後、情報処理装置２００が、人手で静止するまでの間、加速度センサ１０９の出力レベルは上下動を繰り返す。この時、ＨＤＤ１１２のヘッドは、既に退避位置に移動しているため、ヘッドが損傷することはない。また、判定部１０１４は、グラッフィクスコントローラ１０５を介してモニタ１１４にＨＤＤのヘッド退避を行ったことを示すメッセージの表示を終了する。
【００３４】
情報処理装置２００が、人手によって、例えば、机等に置かれて静止状態になると、加速度センサ１０９は重力のみを受けた状態となり、図５の区間Ｅに示すように、加速度センサ１０９の出力レベルは一定になる。
【００３５】
さらに、ユーザによって、情報処理装置２００に外部機器が機械的に接続されると、外部機器の接続時に情報処理装置２００に加わる衝撃によって、図５の区間Ｆに示すように、加速度センサ１０９の出力レベルは急激に上昇した後、情報処理装置２００が、静止するまでの間、加速度センサ１０９の出力レベルは上下動を繰り返す。また、外部機器の接続時には、コネクタ接続検出部１０１６が検出する電圧から、判定部１０１４は、情報処理装置２００に外部機器が機械的に接続されたと判定し、グラッフィクスコントローラ１０５を介してモニタ１１４にＨＤＤのヘッド退避を行ったことを示すメッセージの表示を行わない。
【００３６】
図７は本実施形態における処理を示すフローチャートである。
【００３７】
ステップＳ１０１において、加速度読込部１０１２は、加速度センサ１０９から加速度値を取得し、判定部１０１４に取得した加速度値を転送する。処理はステップＳ１０２へ移行する。
【００３８】
ステップＳ１０２において、判定部１０１４は、加速度読込部１０１２から転送された加速度値が所定値以上か否かを判定する。図５の区間Ｃのように加速度値が所定値以上の場合、処理はステップＳ１０３へ移行する。一方、図５の区間Ａのように、加速度値が所定値未満の場合、処理は終了する。
【００３９】
ステップＳ１０３において、判定部１０１４は、ＨＤＤＩ／Ｏ部１０１８に、ＨＤＤ１１２のヘッドを退避するよう命令する。ＨＤＤＩ／Ｏ部１０１８は、判定部１０１４からのヘッド退避の命令を受けると、ＨＤＤ１１２のヘッドを退避する。処理はステップＳ１０４へ移行する。
【００４０】
ステップＳ１０４において、判定部１０１４は、コネクタ接続検出部１０１６が、外部コネクタ１１３の接続を検出したか否かを判定する。コネクタ接続検出部１０１６が、図５の区間Ｆのように、外部コネクタ１１３の接続を検出した場合、処理はステップＳ１１１へ移行する。一方、コネクタ接続検出部１０１６が、図５の区間Ｄのように、外部コネクタ１１３の接続を検出しない場合、処理はステップＳ１０５へ移行する。
【００４１】
ステップＳ１０５において、判定部１０１４は、システムコントローラ１０３及びグラフィックスコントローラ１０５を介して、モニタ１１４に警告メッセージを表示する。当該警告メッセージを図６に表示する。処理はステップＳ１０６へ移行する。
【００４２】
ステップＳ１０６において、ＨＤＤＩ／Ｏ部１０１８は、ＨＤＤ１１２のヘッドを退避位置に待機させる。処理はステップＳ１０７へ移行する。
【００４３】
ステップＳ１０７において、加速度読込部１０１２は、所定時間経過後、加速度センサ１０９から再び加速度値を取得し、判定部１０１４に取得した加速度値を転送する。処理はステップＳ１０８へ移行する。
【００４４】
ステップＳ１０８において、判定部１０１４は、加速度読込部１０１２から転送された加速度値が所定値以上か否かを判定する。図５の区間Ｃのように、加速度値が所定値以上の場合は、情報処理装置２００が静止しておらず、ヘッドを復帰させるとクラッシュするおそれがあるため、処理はステップＳ１０５に戻る。一方、図５の区間Ｅのように、加速度値が所定値未満の場合は、情報処理装置２００が静止しており、ヘッドを復帰させてもクラッシュするおそれがないため、処理はステップＳ１０９へ移行する。
【００４５】
ステップＳ１０９において、判定部１０１４は、ＨＤＤＩ／Ｏ部１０１８に、ＨＤＤ１１２のヘッドを復帰するよう命令する。ＨＤＤＩ／Ｏ部１０１８は、判定部１０１４からヘッド復帰の命令を受けると、ＨＤＤ１１２のヘッドを復帰する。処理はステップＳ１１０へ移行する。
【００４６】
ステップＳ１１０において、ＣＰＵ１０１は、システムコントローラ１０３及びグラフィックスコントローラ１０５を介して、モニタ１１４に表示した警告のメッセージの表示を終了する。処理は終了する。
【００４７】
ここで、上述したステップＳ１０４において、コネクタ接続検出部１０１６が、外部コネクタ１１３の接続を検出した場合について説明する。図５の区間Ｆのように、加速度値が所定値を超えても、外部機器が情報処理装置２００に機械的に接続されたことを検出した場合は、外部機器を情報処理装置２００に機械的に接続するために、情報処理装置２００に衝撃が加わったと判定し、情報処理装置２００の衝撃対策処理を中止する。
【００４８】
ステップＳ１１１において、判定部１０１４は、ＨＤＤＩ／Ｏ部１０１８に、ＨＤＤ１１２のヘッドを復帰するよう命令する。ＨＤＤＩ／Ｏ部１０１８は、判定部１０１４からのヘッド復帰の命令を受けると、ＨＤＤ１１２のヘッドを復帰する。処理は終了する。
【００４９】
以上、実施の形態１によれば、情報処理装置２００に加わる一時的な衝撃に対して、情報処理装置２００に外部機器が機械的に接続されたことを検出した時は、ＨＤＤ保護からの復帰を早めることで、ヘッド退避期間を短縮することができる。これによれば、外部機器を機械的に接続する時に発生する衝撃に対してＨＤＤ保護が過度に反応した場合でも即座に復帰するため、ユーザに煩わしさを与えることがなくなる。
【００５０】
なお、実施の形態１では、ＨＤＤ１１２に加速度センサ１０９が内蔵されていない場合について説明したが、図８に示すように、ＨＤＤ１１２に加速度センサ１０９が内蔵されていても良い。この場合、ＨＤＤＩ／Ｏ部１０１８が、加速度センサ１０９から加速度値を取得し、判定部１０１４にデータを転送する。
【００５１】
また、実施の形態１では、外部機器の情報処理装置２００への機械的接続を検出することについて説明したが、例えば、プラグイン機能を用いて、外部機器が情報処理装置２００に接続されたことを検出しても良い。
【００５２】
＜実施の形態２＞
実施の形態１では、情報処理装置２００に外部機器が機械的に接続される場合について説明したが、実施の形態２では、情報処理装置２００から外部機器が機械的に外される場合について説明する。
【００５３】
図９は、本実施形態における情報処理装置２００に備えられた加速度センサ１０９の出力の変化と、コネクタ接続検出部１０１６が検出する電圧と、ＣＰＵ１０１が警告表示を行うタイミングとの関係を示す図である。
【００５４】
まず、情報処理装置２００が、例えば、人手に持たれて自然な運動状態にある時、図９の区間Ａに示すように、加速度センサ１０９の出力は比較的緩やかに変化する。次に、情報処理装置２００が、落下により無重力状態になると、図９の区間Ｂに示すように、加速度は急激に変化し、加速度センサ１０９の出力レベルは急激に変化する。そして、図９の区間Ｃに示すように、自由落下での加速度はほぼ一定となる。区間Ｂ及びＣで、加速度値が所定値を超えると、判定部１０１４は、情報処理装置２００の衝撃対策処理を行うため、ＨＤＤＩ／Ｏ部１０１８に退避命令を出力し、ＨＤＤＩ／Ｏ部１０１８にＨＤＤ１１２のヘッド退避処理を行わせる。また、判定部１０１４は、グラッフィクスコントローラ１０５を介してモニタ１１４にＨＤＤのヘッド退避を行ったことを示すメッセージを表示する。
【００５５】
その後、情報処理装置２００が、例えば、床に落下する前に、人手によって落下の阻止をされると、図９の区間Ｇに示すように、加速度センサ１０９の出力レベルは急激に上昇した後、情報処理装置２００が、人手で静止するまでの間、加速度センサ１０９の出力レベルは上下動を繰り返す。この時、ＨＤＤ１１２のヘッドは、既に退避位置に移動しているため、ヘッドが損傷することはない。また、判定部１０１４は、グラッフィクスコントローラ１０５を介してモニタ１１４にＨＤＤのヘッド退避を行ったことを示すメッセージの表示を終了する。
【００５６】
さらに、ユーザによって、情報処理装置２００に外部機器が機械的に接続されると、外部機器の接続時に情報処理装置２００に加わる衝撃によって、図９の区間Ｈに示すように、加速度センサ１０９の出力レベルは急激に上昇した後、情報処理装置２００が静止するまでの間、加速度センサ１０９の出力レベルは上下動を繰り返す。また、外部機器の接続時には、コネクタ接続検出部１０１６が検出する電圧が「Ｈｉｇｈ」から「Ｌｏｗ」に変化するため、判定部１０１４は、情報処理装置２００に外部機器が機械的に接続されたと判定し、グラッフィクスコントローラ１０５を介してモニタ１１４にＨＤＤのヘッド退避を行ったことを示すメッセージの表示を行わない。
【００５７】
情報処理装置２００に外部機器が機械的に接続されて、静止状態になると、加速度センサ１０９は重力のみを受けた状態となり、図９の区間Ｉに示すように、加速度センサ１０９の出力レベルは一定になる。最後に、ユーザによって、情報処理装置２００から外部機器が機械的に外されると、外部機器を外す時に情報処理装置２００に加わる衝撃によって、図９の区間Ｊに示すように、加速度センサ１０９の出力レベルは急激に上昇した後、情報処理装置２００が静止するまでの間、加速度センサ１０９の出力レベルは上下動を繰り返す。また、外部機器を外す時には、コネクタ接続検出部１０１６が検出する電圧が「Ｌｏｗ」から「Ｈｉｇｈ」に変化するため、判定部１０１４は、情報処理装置２００に外部機器が機械的に外されたと判定し、グラッフィクスコントローラ１０５を介してモニタ１１４にＨＤＤのヘッド退避を行ったことを示すメッセージの表示を行わない。
【００５８】
図１０は本実施形態における処理を示すフローチャートである。なお、図７を用いて説明した処理については説明を省略する。
【００５９】
ステップＳ２０１において、加速度読込部１０１２は、加速度センサ１０９から加速度値を取得し、判定部１０１４に取得した加速度値を転送する。処理はステップＳ２０２へ移行する。
【００６０】
ステップＳ２０２において、判定部１０１４は、加速度読込部１０１２から転送された加速度値が所定値以上か否かを判定する。図９の区間Ｉのように加速度値が所定値以上の場合、処理はステップＳ２０３へ移行する。一方、図９の区間Ｊのように、加速度値が所定値未満の場合、処理は終了する。
【００６１】
ステップＳ２０３において、判定部１０１４は、ＨＤＤＩ／Ｏ部１０１８に、ＨＤＤ１１２のヘッドを退避するよう命令する。ＨＤＤＩ／Ｏ部１０１８は、判定部１０１４からのヘッド退避の命令を受けると、ＨＤＤ１１２のヘッドを退避する。処理はステップＳ２０４へ移行する。
【００６２】
ステップＳ２０４において、判定部１０１４は、コネクタ接続検出部１０１６が、外部コネクタ１１３が外されたことを検出したか否かを判定する。コネクタ接続検出部１０１６が、図９の区間Ｊのように、外部コネクタ１１３が外されたことを検出した場合、処理はステップＳ２１１へ移行する。一方、コネクタ接続検出部１０１６が、図９の区間Ｉのように、外部コネクタ１１３が外されたことを検出しない場合、処理はステップＳ２０５へ移行する。本実施形態においては、コネクタ接続検出部１０１６が検出する電圧が「Ｌｏｗ」から「Ｈｉｇｈ」に変化した場合について説明する。図９の区間Ｊのように、加速度値が所定値を超えても、外部機器が情報処理装置２００から機械的に外されたことを検出した場合は、外部機器を情報処理装置２００から機械的に外すために、情報処理装置２００に衝撃が加わったと判定し、情報処理装置２００の衝撃対策処理を中止する。
【００６３】
ステップＳ２１１において、判定部１０１４は、ＨＤＤＩ／Ｏ部１０１８に、ＨＤＤ１１２のヘッドを復帰するよう命令する。ＨＤＤＩ／Ｏ部１０１８は、判定部１０１４からのヘッド復帰の命令を受けると、ＨＤＤ１１２のヘッドを復帰する。処理は終了する。
【００６４】
以上、実施の形態２によれば、情報処理装置２００に加わる一時的な衝撃に対して、情報処理装置２００から外部機器が機械的に外されたことを検出した時は、ＨＤＤ保護からの復帰を早めることで、誤検出の期間を短縮することができる。これによれば、外部機器を機械的に外す時に発生する衝撃に対してＨＤＤ保護が過度に反応した場合でも即座に復帰するため、ユーザに煩わしさを与えることがなくなる。
【００６５】
以上、本発明の例示的な実施の形態の情報処理装置について説明したが、本発明は、具体的に開示された実施の形態に限定されるものではなく、特許請求の範囲から逸脱することなく、種々の変形や変更が可能である。
【符号の説明】
【００６６】
１０１  ＣＰＵ
１０１２  加速度読込部
１０１４  判定部
１０１６  コネクタ接続検出部
１０１８  ＨＤＤＩ／Ｏ部
１０２  ＲＡＭ
１０３  システムコントローラ
１０４  バス
１０５  グラフィックスコントローラ
１０６  ＲＯＭ
１０８  オーディオコントローラ
１０９  加速度センサ
１１１  ＭＰＵ
１１２  ＨＤＤ
１１３  外部コネクタ
１１４  モニタ
１１５  スピーカ
１１６  情報処理装置側コネクタ
２０  キーボード
２００  情報処理装置
２０２  ＤＣ−ＩＮコネクタ
２０４  ＣＲＴコネクタ
２０６  ＵＳＢコネクタ
３０  マウス
５０  キーボードコントローラ
【図１】
2012127520.tif 000003
【図２】
2012127520.tif 000004
【図３】
2012127520.tif 000005
【図４】
2012127520.tif 000006
【図５】
2012127520.tif 000007
【図６】
2012127520.tif 000008
【図７】
2012127520.tif 000009
【図８】
2012127520.tif 000010
【図９】
2012127520.tif 000011
【図１０】
2012127520.tif 000012
【国際調査報告】
2012127520.tif 000013
2012127520.tif 000014